【手続補正書】
【提出日】平成18年5月18日(2006.5.18)
【手続補正１】
【補正対象書類名】特許請求の範囲
【補正対象項目名】全文
【補正方法】変更
【補正の内容】
【特許請求の範囲】
【請求項１】
（ａ）オーディオデータを入力される段階と、
（ｂ）入力されたオーディオデータからハーモニック成分を抽出する段階と、
（ｃ）前記抽出されたハーモニック成分なしで前記入力されたオーディオデータを変換し、かつ前記変換されたオーディオデータを量子化する段階と、
（ｄ）前記量子化されたオーディオデータと前記抽出されたハーモニック成分とからオーディオパケットを作る段階と、
を含むハーモニック成分を利用したオーディオコーディング方法。
【請求項２】
（ａ）ＰＣＭオーディオデータを入力されて保存し、保存された前記データに人間の可聴限界特性を利用した心理音響モデル２を適用してＦＦＴ結果情報、入力されたデータに対する知覚エネルギー情報及び量子化に使われるビット割当て情報を出力する段階と、
（ｂ）前記ＦＦＴ結果情報を利用して前記入力されたＰＣＭオーディオデータからハーモニック成分を抽出する段階と、
（ｃ）前記抽出したハーモニック成分をエンコーディングして出力し、エンコーディングされたハーモニック成分をデコーディングする段階と、
（ｄ）前記（ａ）段階で保存されたＰＣＭオーディオデータから前記（ｃ）段階でデコーディングされたハーモニック成分を取り出して前記知覚エネルギー情報によってＭＤＣＴを行う段階と、
（ｅ）前記実行されたＭＤＣＴ結果値を前記ビット割当て情報によってビットを割当てて量子化する段階と、
（ｆ）前記エンコーディングされて出力されたハーモニック成分と前記量子化されたＭＤＣＴ結果値とをオーディオパケットに作る段階と、
を含むハーモニック成分を利用したオーディオコーディング方法。
【請求項３】
前記（ｂ）段階は、
（ｂ１）前記ＦＦＴ結果情報を利用して入力された複数のＰＣＭオーディオデータそれぞれの音圧を求める段階と、
（ｂ２）前記音圧が求められた複数のＰＣＭオーディオデータのうち何れか一つを選択して、そのデータの左右に存在するＰＣＭオーディオデータ値が前記選択したＰＣＭオーディオデータ値より小さな場合、前記選択したＰＣＭオーディオデータのみを１次抽出する段階と、
（ｂ３）前記（ｂ２）段階を入力された全てのＰＣＭオーディオデータに対して行う段階と、
（ｂ４）前記抽出したＰＣＭオーディオデータのうち前記音圧が所定の音圧より大きい値を有するＰＣＭオーディオデータのみを２次抽出する段階と、
（ｂ５）前記（ｂ４）段階で２次抽出したＰＣＭオーディオデータのうち、周波数位置によって所定の範囲にあるＰＣＭオーディオデータは捨てる段階と、
を含んでハーモニック成分を抽出することを特徴とする請求項２に記載のハーモニック成分を利用したオーディオコーディング方法。
【請求項４】
前記（ｂ４）段階において、
所定の音圧は、７.０ｄＢであることを特徴とする請求項３に記載のハーモニック成分を利用したオーディオコーディング方法。
【請求項５】
前記（ｄ）段階において、
前記知覚エネルギー情報値が所定の臨界値より大きければ、１８サンプル単位でＭＤＣＴを行い、所定の臨界値より小さければ、３６サンプル単位でＭＤＣＴを行うことを特徴とする請求項２に記載のハーモニック成分を利用したオーディオコーディング方法。
【請求項６】
ＰＣＭオーディオデータを入力されて保存するＰＣＭオーディオデータ保存部と、
前記保存されたＰＣＭオーディオを入力されて心理音響モデル２を行ってＦＦＴ結果情報、入力されたデータについての知覚エネルギー情報及び量子化に使われるビット割当て情報を出力する心理音響モデル２実行部と、
前記ＦＦＴ結果情報を利用して前記入力されたＰＣＭオーディオデータからハーモニック成分を抽出するハーモニック成分抽出部と、
前記抽出されたハーモニック成分をエンコーディングして出力するハーモニック成分エンコーディング部と、
前記保存されたＰＣＭオーディオデータから前記ハーモニック成分抽出部から抽出されたハーモニック成分を除去して前記知覚エネルギー情報によってＭＤＣＴを行うＭＤＣＴ実行部と、
前記ＭＤＣＴ実行された結果値を前記ビット割当て情報によって量子化する量子化部と、
前記ハーモニック成分エンコーディング部から出力されたハーモニック成分データと前記量子化部から出力された量子化結果とをＭＰＥＧオーディオレイヤ３フォーマットに変換してパケット化するＭＰＥＧレイヤ３ビットストリーム生成部と、
を含むハーモニック成分を利用したオーディオコーディング装置。
【請求項７】
前記ハーモニック成分抽出部は、
前記ＦＦＴ結果情報を利用して入力された複数のＰＣＭオーディオデータそれぞれの音圧を求め、前記音圧が求められた複数のＰＣＭオーディオデータのうち何れか一つを選択して左右に存在するＰＣＭオーディオデータ値が前記選択したＰＣＭオーディオデータ値より小さな場合、前記選択したＰＣＭオーディオデータのみを１次抽出し、
この抽出する過程を全てのＰＣＭオーディオデータに対して行った後、前記ＰＣＭオーディオデータの音圧が所定の音圧より大きい値を有するＰＣＭオーディオデータのみを２次抽出し、
前記抽出したオーディオデータのうち周波数位置によって所定の範囲にあるＰＣＭオーディオデータは捨てることによってハーモニック成分を抽出することを特徴とする請求項６に記載のハーモニック成分を利用したオーディオコーディング装置。
【請求項８】
前記ＭＤＣＴ実行部は、
前記知覚エネルギー情報値が所定の臨界値より大きければ、１８サンプル単位でＭＤＣＴを行い、所定の臨界値より小さければ、３６サンプル単位でＭＤＣＴを行うことを特徴とする請求項６に記載のハーモニック成分を利用したオーディオコーディング装置。
【請求項９】
（ａ）ＰＣＭオーディオデータを入力されて心理音響モデル２を適用してハーモニック成分を抽出する段階と、
（ｂ）前記入力されたＰＣＭオーディオデータから前記抽出されたハーモニック成分を除去してＭＤＣＴを行う段階と、
（ｃ）前記行われたＭＤＣＴ結果値を量子化し、前記抽出されたハーモニック成分と共にオーディオパケットに作る段階と、
を含むハーモニック成分を利用したオーディーコーディング方法をコンピュータで実行させるためのプログラムを記録したコンピュータ可読記録媒体。
【請求項１０】
（ａ）ＰＣＭオーディオデータを入力されて保存し、保存された前記データに人間の可聴限界特性を利用した心理音響モデル２を適用してＦＦＴ結果情報、入力されたデータに対する知覚エネルギー情報及び量子化に使われるビット割当て情報を出力する段階と、
（ｂ）前記ＦＦＴ結果情報を利用して前記入力されたＰＣＭオーディオデータからハーモニック成分を抽出する段階と、
（ｃ）前記抽出したハーモニック成分をエンコーディングして出力し、エンコーディングされたハーモニック成分をデコーディングする段階と、
（ｄ）前記（ａ）段階で保存されたＰＣＭオーディオデータから前記（ｃ）段階でデコーディングされたハーモニック成分を取り出して前記知覚エネルギー情報によってＭＤＣＴを行う段階と、
（ｅ）前記実行されたＭＤＣＴ結果値を前記ビット割当て情報によってビットを割当てて量子化する段階と、
（ｆ）前記エンコーディングされて出力されたハーモニック成分と前記量子化されたＭＤＣＴ結果値とをオーディオパケットに作る段階と、
を含むハーモニック成分を利用したオーディオコーディング方法をコンピュータで実行させるためのプログラムを記録したコンピュータ可読記録媒体。
【請求項１１】
前記（ｂ）段階は、
（ｂ１）前記ＦＦＴ結果情報を利用して入力された複数のＰＣＭオーディオデータそれぞれの音圧を求める段階と、
（ｂ２）前記音圧が求められた複数のＰＣＭオーディオデータのうち何れか一つを選択して、そのデータの左右に存在するＰＣＭオーディオデータ値が前記選択したＰＣＭオーディオデータ値より小さな場合、前記選択したＰＣＭオーディオデータのみを１次抽出する段階と、
（ｂ３）前記（ｂ２）段階を入力された全てのＰＣＭオーディオデータに対して行う段階と、
（ｂ４）前記抽出したＰＣＭオーディオデータのうち前記音圧が所定の音圧より大きい値を有するＰＣＭオーディオデータのみを２次抽出する段階と、
（ｂ５）前記（ｂ４）段階で２次抽出したＰＣＭオーディオデータのうち、周波数位置によって所定の範囲にあるＰＣＭオーディオデータは捨てる段階と、
を含んでハーモニック成分を抽出することを特徴とする請求項１０に記載のハーモニック成分を利用したオーディオコーディング方法をコンピュータで実行させるためのプログラムを記録したコンピュータ可読記録媒体。
【請求項１２】
前記（ｂ４）段階において、
所定の音圧は、７.０ｄＢであることを特徴とする請求項１１に記載のハーモニック成分を利用したオーディオコーディング方法をコンピュータで実行させるためのプログラムを記録したコンピュータ可読記録媒体。
【請求項１３】
前記（ｄ）段階において、
前記知覚エネルギー情報値が所定の臨界値より大きければ、１８サンプル単位でＭＤＣＴを行い、所定の臨界値より小さければ、３６サンプル単位でＭＤＣＴを行うことを特徴とする請求項１１に記載のハーモニック成分を利用したオーディオコーディング方法をコンピュータで実行させるためのプログラムを記録したコンピュータ可読記録媒体。
【請求項１４】
前記入力されたオーディオデータから前記ハーモニック成分を抽出する段階は、心理音響モデル２を適用して行われることを特徴とする請求項１に記載のオーディオコーディング方法。
【請求項１５】
前記抽出されたハーモニック成分なしで前記オーディオデータを変換する段階は、ＭＤＣＴによって行われることを特徴とする請求項１に記載のオーディオコーディング方法。